(57)【特許請求の範囲】
【請求項１】
配線器具を露出させる状態で配線器具に対して固定される固定枠と、
前記配線器具を露出させる開口部が設けられたプレート部とこのプレート部の周縁から当該プレート部の背面側へ突出した周壁部とを有して上面が閉塞された、前記固定枠に外嵌する化粧カバーと、
前記周壁部の左右の側壁部に設けられた係止孔と前記固定枠に設けられ前記係止孔に挿入されてその周面を係止可能な係止片とを有し、前記固定枠から前記化粧カバーが脱落するのを阻止する脱落阻止構造と、
を備える化粧カバー具であって、
前記周壁部における上壁部の内面に凸部を設ける一方、前記固定枠の上端部の上面に前記凸部が嵌合する凹部を設けて位置決め構造を構成し、
前記係止孔の周面を係止可能な係止片は、前記固定枠の上端部の両端部に突設されかつ弾性を有し、
前記位置決め構造の凸部と凹部との嵌合が外れたときに、前記脱落阻止構造の係止孔と係止片とが係止している化粧カバー具。
【請求項２】
前記係止孔は、前記側壁部の内面に凹状に形成されている請求項１に記載の化粧カバー具。
【発明の詳細な説明】
【技術分野】
【０００１】
本発明は、化粧カバー具に関する。
【背景技術】
【０００２】
従来、住宅などの建物の壁に配設されるスイッチ等の配線器具を露出させた状態で、配線器具の配設構造を覆う化粧カバーを備える化粧カバー具がある。
【０００３】
化粧カバーは、配線器具を露出させる開口部が設けられたプレート部とこのプレート部の周縁から当該プレート部の背面側へ突出した周壁部とを有している。この化粧カバーは、配線器具に対して固定された固定枠に外嵌される（例えば、特許文献１,２参照）。
【０００４】
化粧カバーの固定枠への位置決めは、固定枠の上部と化粧カバーの上部との一方に設けられた凹部と、それらの他方に設けられた凸部との嵌合によって行なわれるようになっている。
【特許文献１】実開平２−４４８２６号公報
【特許文献２】特開平８−１８２１４４号公報
【発明の開示】
【発明が解決しようとする課題】
【０００５】
そして、凹部と凸部との嵌合が外れても化粧カバーが固定枠から脱落するのを防止する構造として、固定枠の上端面に突設された係止爪を化粧カバーの周壁部における上壁部に設けられた嵌合孔に嵌合させて、化粧カバーを固定枠に係止する上部係止構造がある（特許文献１参照）。
【０００６】
また、凹部と凸部との嵌合が外れても化粧カバーが固定枠から脱落するのを防止する別の構造として、化粧カバーの周壁部の左右の側壁部に折り曲げ加工によって一体に設けられた係止片を、固定枠に設けられた孔に嵌合させて、化粧カバーを固定枠に係止する側部係止構造もある（特許文献２参照）。
【０００７】
しかしながら、従来の上部係止構造は、化粧カバーの上壁部に嵌合孔が形成されているので、化粧カバー内にゴミが入るおそれがある。
【０００８】
一方、従来の側部係止構造は、係止片が化粧カバーの周壁部に折り曲げ加工によって設けられているので、化粧カバーの周壁部が複雑化してしまうという問題がある。
【０００９】
そこで、本発明は、化粧カバーの周壁部の複雑化を抑制しつつ、化粧カバー内へのゴミの侵入を抑制すると共に固定枠からの化粧カバーの脱落を阻止できるようにすることを目的とする。
【課題を解決するための手段】
【００１０】
請求項１に記載の発明の化粧カバー具は、配線器具を露出させる状態で配線器具に対して固定される固定枠と、前記配線器具を露出させる開口部が設けられたプレート部とこのプレート部の周縁から当該プレート部の背面側へ突出した周壁部とを有して上面が閉塞された、前記固定枠に外嵌する化粧カバーと、前記周壁部の左右の側壁部に設けられた係止孔と前記固定枠に設けられ前記係止孔に挿入されてその周面を係止可能な係止片とを有し、前記固定枠から前記化粧カバーが脱落するのを阻止する脱落阻止構造と、を備える化粧カバー具であって、前記周壁部における上壁部の内面に凸部を設ける一方、前記固定枠の上端部の上面に前記凸部が嵌合する凹部を設けて位置決め構造を構成し、前記係止孔の周面を係止可能な係止片は、前記固定枠の上端部の両端部に突設されかつ弾性を有し、前記位置決め構造の凸部と凹部との嵌合が外れたときに、前記脱落阻止構造の係止孔と係止片とが係止している。
【００１１】
請求項２に記載の発明は、請求項１に記載の化粧カバー具において、前記係止孔は、前記側壁部の内面に凹状に形成されている。
【発明の効果】
【００１３】
請求項１に記載の発明によれば、固定枠の凹部と化粧カバーの凸部との嵌合が外れた場合には、脱落阻止構造の係止片が係止孔の周面を係止し、この状態で脱落阻止構造によって化粧カバーが固定枠から脱落するのを阻止することができると共に、化粧カバーの上面が閉塞されていることにより化粧カバー内へのゴミの侵入を抑制することができる。また、当該発明によれば、周壁部には係止孔が設けられているが周壁部に折曲形状の係止片を設ける必要がないので、折曲形状の係止片が形成された周壁部に比べて、周壁部の複雑化を抑制することができる。
【００１４】
請求項２に記載の発明によれば、係止孔は、側壁部の内面に凹状に形成されていることにより、脱落阻止構造が露出しないので、化粧カバーの美観を良好にすることができる。
【発明を実施するための最良の形態】
【００１６】
本発明の一実施形態を図１ないし図４に基づいて説明する。図１は、本実施形態の化粧カバー具を配線器具と共に示す斜視図、図２は、化粧カバー具を配線器具と共に示す分解斜視図、図３は、化粧カバー具における化粧カバーの取り付け方法を説明するための斜視図である。
【００１７】
図１ないし図３に示すように、化粧カバー具１は、化粧カバー２と固定枠３とから構成されている。この化粧カバー具１は、建物などの壁４に配設される配線器具５を露出させた状態で、配線器具５の配設構造を覆う。
【００１８】
配線器具５としては、コンセントやスイッチを例示することができ、図面には、コンセントが例示されている。この配線器具５は、壁４に固定された壁固定用プレート６に固定されている。配線器具５は、壁４に形成された開口４ａに挿通された状態で配置されており、これにより、配線器具５の背面に配線（図示せず）が接続可能となっている。ここで、壁固定用プレート６や壁４の開口４ａは、配線器具５の配設構造である。
【００１９】
固定枠３は、樹脂製の矩形状の枠本体１１と、この枠本体１１の上端部に固定された上金具１２と、枠本体１１の下端部に固定された下金具１３とから構成されている。枠本体１１には、配線器具５を露出させる枠開口部１１ａが形成されており、この枠開口部１１ａに配線器具５が挿通される。
【００２０】
上金具１２と下金具１３とは、縦壁部１２ａ,１３ａと、この縦壁部１２ａ,１３ａから屈曲された横壁部１２ｂ,１３ｂとを有して断面略Ｌ字状に形成されている。上金具１２の横壁部１２ｂは、固定枠３の上面を構成する一方、下金具１３の横壁部１３ｂは、固定枠３の下面を構成している。そして、縦壁部１２ａ,１３ａを貫通したネジ１４によって固定枠３が壁固定用プレート６に固定されるようになっている。
【００２１】
化粧カバー２は、配線器具５を露出させる開口部２１ａが設けられた矩形状のプレート部２１と、このプレート部２１の周縁から当該プレート部２１の背面側へ突出した周壁部２２とを有しており、固定枠３に外嵌するようになっている。周壁部２２は、左右一対の側壁部２２ａ（左側の側壁部は図示せず）と上壁部２２ｂと下壁部（図示せず）とから構成されている。化粧カバー２は、上壁部２２ｂによって上面が閉塞されている。即ち、上壁部２２ｂには、貫通孔が形成されていない。
【００２２】
次に、化粧カバー２を固定枠３に取り付けるための構造を説明する。まず、化粧カバー２の周壁部２２における上壁部２２ｂには、上壁部２２ｂの内面が凸形状となる凸部２２ｄが形成されている。一方、固定枠３の上金具１２の横壁部１２ｂには、横壁部１２ｂの上面が凹状となる凹部１２ｅが形成されており、この凹部１２ｅと凸部２２ｄとが嵌合することにより化粧カバー２が固定枠３に位置決めされる。これらの凸部２２ｄ及び凹部１２ｅは、位置決め構造３１を構成している。
【００２３】
また、化粧カバー２の周壁部２２の左右の側壁部２２ａには、左右方向を軸方向とする係止孔２２ｃが貫通形成されている。一方、固定枠３の上金具１２の横壁部１２ｂの左右の両端部には、係止孔２２ｃに挿入されて係止孔２２ｃの周面２２ｄを係止可能な係止片１２ｃが突設されている。この係止片１２ｃは、左右方向に延在する帯板状に形成されると共に、付根近傍に湾曲状のバネ部１２ｄが形成されており弾性を有している。これらの係止片１２ｃ及び係止孔２２ｃは、脱落阻止構造３２を構成している。
【００２４】
このような構成において、壁固定用プレート６に固定された固定枠３に化粧カバー２を取り付けるには、上部を壁４に近接させて傾けた化粧カバー２のその上部を固定枠３の上面に載せて、化粧カバー２の凸部２２ｄを固定枠３の凹部１２ｅに合わせる。この状態から、化粧カバー２の下部が壁４に近接するように化粧カバー２をその上部を支点にして回動させて、化粧カバー２を固定枠３に外嵌する。これにより、凸部２２ｄが凹部１２ｅに嵌合して、化粧カバー２が固定枠３に位置決めされる。また、このとき、固定枠３の係止片１２ｃが弾性変形によって化粧カバー２の側壁部２２ａを乗り越えて係止孔２２ｃに入り込み、係止孔２２ｃ内で元形状に復元して係止孔２２ｃの周面２２ｄに係止可能となる。
【００２５】
そして、この化粧カバー具１では、凹部１２ｅと凸部２２ｄとの嵌合が外れた場合には、脱落阻止構造３２の係止片１２ｃが係止孔２２ｃの周面２２ｄを係止する。この状態では、化粧カバー２は、脱落阻止構造３２によって移動が規制され、化粧カバー２が固定枠３から脱落するのが阻止される。
【００２６】
以上説明した本実施形態によれば、脱落阻止構造３２によって化粧カバー２が固定枠３から脱落するのを阻止することができると共に、化粧カバー２の上面が閉塞されていることにより化粧カバー２内へのゴミの侵入を抑制することができる。また、本実施形態によれば、周壁部２２には係止孔２２ｃが設けられているが周壁部２２に折曲形状の係止片を設ける必要がないので、折曲形状の係止片が形成された周壁部に比べて周壁部２２の複雑化を抑制することができる。
【００２７】
また、本実施形態によれば、固定枠３に対する化粧カバー２の固定にネジを使用しないので、化粧カバー２の美観を損なうことが抑制される。
【００２８】
次に、変形例の化粧カバー具１を図４に基づいて説明する。ここで、図４は、変形例の化粧カバー具１を示す斜視図である。化粧カバー２の係止孔２２ｃは、側壁部２２ａの内面に凹状に形成されている。
【００２９】
この変形例によれば、脱落阻止構造３２が露出しないので、化粧カバー２の美観を良好にすることができる。
【００３０】
次に、本発明の参考例を図５及び図６に基づいて説明する。前述した実施形態と同じ部分は同一符号で示し説明も省略する。図５は、本参考例の化粧カバー具を配線器具と共に示す分解斜視図、図６は、化粧カバー具を示す縦断側面図である。
【００３１】
本参考例では、脱落阻止構造３２Ａが本発明の実施形態に対して異なる。脱落阻止構造３２Ａは、固定枠３Ａの上金具１２Ａの縦壁部１２Ａａに設けられた左右一対の係止部１２Ａｈと、化粧カバー２Ａのプレート部２１の背面に突設された係止片４１と、を有している。
【００３２】
係止部１２Ａｈは、縦壁部１２Ａａに固定枠３の表裏（前後）方向を軸方向として貫通形成された係止孔１２Ａｆと、縦壁部１２Ａａの背面において係止孔１２Ａｆの周縁部に立設されたリブ１２Ａｇとを有している。
【００３３】
係止片４１は、プレート部２１の背面に接着剤や両面テープなどによって固定される取付部４１ａと、この取付部４１ａに水平に立設された垂直部４１ｂと、この垂直部４１ｂの端部から下方へ屈曲された折返部４１ｃとから構成されている。そして、垂直部４１ｂと折返部４１ｃとによって弾性を有した断面Ｌ字状の引掛部４１ｄが形成されている。この係止片４１は、引掛部４１ｄが係止孔１２Ａｆに挿入された状態で折返部４１ｃがリブ１２Ａｇに対向する。
【００３４】
このような構成において、壁固定用プレート６に固定された固定枠３Ａに化粧カバー２Ａを取り付けるには、本発明の実施形態と同様の手順で、化粧カバー２Ａを固定枠３Ａに外嵌する。このとき、化粧カバー２Ａの係止片４１の引掛部４１ｄが弾性変形によって上金具１２Ａの縦壁部１２Ａａを乗り越えて固定枠３の係止孔１２Ａｆに入り込み、係止孔１２Ａｆを貫通した状態で元形状に復元し、折返部４１ｃがリブ１２Ａｇに対向し、係止片４１が係止部１２Ａｈに係止可能となる。
【００３５】
そして、この化粧カバー具１では、凹部１２ｅと凸部２２ｄとの嵌合が外れた場合には、脱落阻止構造３２Ａの係止片４１が係止部１２Ａｈに係止する。この状態では、化粧カバー２Ａは、脱落阻止構造３２Ａによって移動が規制され、化粧カバー２Ａが固定枠３Ａから脱落するのが阻止される。
【００３６】
以上説明した本参考例によれば、脱落阻止構造３２Ａによって化粧カバー２Ａが固定枠３Ａから脱落するのを阻止することができると共に、化粧カバー２Ａの上面が閉塞されていることにより化粧カバー２Ａ内へのゴミの侵入を抑制することができる。また、本参考例によれば、周壁部２２に折曲形状の係止片を設ける必要がないので、折曲形状の係止片が形成された周壁部に比べて、周壁部２２の複雑化を抑制することができる。
【００３７】
また、本参考例によれば、脱落阻止構造３２Ａが露出しないので、化粧カバー２Ａの美観を良好にすることができる。
【００３８】
なお、本発明は、本実施形態に限ることなく本発明の要旨を逸脱しない範囲で他の実施形態を各種採用することができる。
【００３９】
例えば、固定枠３,３Ａが壁４に直接固定されて、固定枠３,３Ａが壁４を介して配線器具５に固定されていても良いし、さらには、固定枠３が配線器具５に直接固定されていても良い。
【００４０】
また、上述した参考例では、係止部１２Ａｈが化粧カバー２Ａに設けられ、係止片４１が固定枠３Ａに設けられていても良い。
【図面の簡単な説明】
【００４１】
【図１】本発明の一実施形態の化粧カバー具を配線器具と共に示す斜視図である。
【図２】本発明の一実施形態の化粧カバー具を配線器具と共に示す分解斜視図である。
【図３】本発明の一実施形態の化粧カバー具における化粧カバーの取り付け方法を説明するための斜視図である。
【図４】本発明の一実施形態における変形例の化粧カバー具を示す斜視図である。
【図５】本発明の参考例の化粧カバー具を配線器具と共に示す分解斜視図である。
【図６】本発明の参考例の化粧カバー具を示す縦断側面図である。
【符号の説明】
【００４２】
１        化粧カバー具
２        化粧カバー
２Ａ      化粧カバー
３        固定枠
３Ａ      固定枠
５        配線器具
１２ａ    縦壁部
１２ｃ    係止片
１２Ａｆ  係止孔
１２Ａｈ  係止部
２１      プレート部
２１ａ    開口部
２２      周壁部
２２ｃ    係止孔
２２ｄ    周面
３２      脱落阻止構造
３２Ａ    脱落阻止構造
４１      係止片
【図１】
0004548331.tif 000002
【図２】
0004548331.tif 000003
【図３】
0004548331.tif 000004
【図４】
0004548331.tif 000005
【図５】
0004548331.tif 000006
【図６】
0004548331.tif 000007